(57)【要約】【課題】冬期や雨天時、または寒冷地においても汚染土壌の温度を保持することができ、さらに汚染土壌の撹拌の際や改質が終了した際などに容易に汚染土壌から除去することができる土壌改質用蓄熱材およびこの土壌改質用蓄熱材を用いた汚染土壌の土壌改質方法が望まれていた。【解決手段】本発明に係る土壌改質用蓄熱材は、液状および／または固体状の蓄熱材料の一部または全部を、金属および／またはプラスチックを用いた被覆材で被覆することで、土壌への適用および土壌からの回収が可能な形態に形成したことを特徴とする。【選択図】図１
2014185242.tif 000002
【特許請求の範囲】
【請求項１】
液状および／または固体状の蓄熱材料の一部または全部を、
金属および／またはプラスチックを用いた被覆材で被覆することで、
土壌への適用および土壌からの回収が可能な形態に形成したことを特徴とする土壌改質用蓄熱材。
【請求項２】
前記土壌改質用蓄熱材の形状が、
カプセル状、シームレスカプセル状、棒状、チューブ状、板状、あるいはこれら形状の組合せであることを特徴とする請求項１に記載の土壌改質用蓄熱材。
【請求項３】
前記土壌改質用蓄熱材の形状が、
立設した複数の、前記棒状の土壌改質用蓄熱材および／または前記板状の土壌改質用蓄熱材の上端部間に、
別の、前記棒状の土壌改質用蓄熱材および／または前記板状の土壌改質用蓄熱材を連結したものであることを特徴とする請求項１または請求項２に記載の土壌改質用蓄熱材。
【請求項４】
前記土壌改質用蓄熱材にフック部を設けたことを特徴とする請求項１から３のいずれか一項に記載の土壌改質用蓄熱材。
【請求項５】
前記土壌改質用蓄熱材が、
磁性を有するものであることを特徴とする請求項１から４のいずれか一項記載の土壌改質用蓄熱材。
【請求項６】
請求項１から５のいずれか一項に記載の土壌改質用蓄熱材を汚染土壌に適用する工程と、
定期的に前記土壌改質用蓄熱材を前記汚染土壌から回収する工程と、
前記土壌改質用蓄熱材を回収した後の汚染土壌を撹拌する工程と、
撹拌後の汚染土壌に前記土壌改質用蓄熱材を再度適用する工程とを備えることを特徴とする汚染土壌の土壌改質方法。
【請求項７】
さらに、汚染土壌の上部を光透過性シートで覆うこと特徴とする請求項６に記載の汚染土壌の土壌改質方法。
【発明の詳細な説明】
【技術分野】
【０００１】
本発明は、油分などで汚染された汚染土壌を改質する際に汚染土壌の温度を保持するための土壌改質用蓄熱材およびこの土壌改質用蓄熱材を用いた汚染土壌の土壌改質方法に関するものである。
【背景技術】
【０００２】
近年、工場やガソリンスタンドなどの跡地を再利用する際に、跡地の土壌が鉱物油やその他の化学物質に汚染されている場合があり、これら汚染土壌への対策が必要になっている。
そして、このような汚染土壌の浄化方法の１つに、微生物が有する汚染物質の分解能を利用したバイオレメディエーション法があり、さらにその中の工法の１つとして、栄養塩や水分（場合によっては微生物も）を混合した汚染土壌を高さ１ｍ程度の畝に盛り上げ、定期的に撹拌を行うことによって浄化を行うランドファーミング工法があることが知られている。かかるランドファーミング工法は、汚染土壌を取り扱いがしやすい状態にして改質を行う工法であることから、設備が簡素であるとともに低コストである点などにおいて優れた改質方法ということができる。
【０００３】
一方、ランドファーミング工法に代表されるような微生物を用いたバイオレメディエーション法においては、いずれの工法においても汚染土壌中における微生物の活性を維持させることが重要であり、その要素の１つに汚染土壌の温度が挙げられる。
すなわち、汚染土壌の温度を微生物の活性が維持できる温度に保持することができなければ、如何に微生物の種類に応じた栄養塩を選択し、かかる栄養塩や酸素などの供給量を適正なものにしたとしても、微生物の活性は低下したままとなり汚染土壌の改質は進まないということになる。そして、かかる問題は雨天時や冬期または寒冷地において汚染土壌の改質を行わなければならない際に特に顕著なものとなる。
【０００４】
ここで、微生物の活性維持という観点からは異なるものの、土壌の温度を保持するための方法が各種開発されている。具体的には、土壌中に通電式のフィルム状のヒータを埋設する方法（特許文献１参照）、土壌中にパイプを埋設してかかるパイプに温水や高温空気を供給する方法（特許文献２参照）、土壌に遠赤外線を照射する方法（特許文献３参照）などが開示されている。
しかしながら、これらの方法はいずれもヒータなどの加温装置を要するものであり、また、これらの加温装置を制御する手段も必要となることから、設備が大規模になってしまうという問題がある。
【０００５】
そこで、糟糠類を用いた土壌の加温方法が開示されている（特許文献４参照）。この方法は糟糠類を土壌に混合するだけであることから、上記特許文献１〜３に記載の方法のような設備が不要であるというメリットがある。
しかしながら、かかる方法は土壌を加温すること自体は可能であっても、［表１］や［表２］に記載されているように経時的に発熱量が低下してしまうことから、かかる方法を微生物の活性を利用するバイオレメディエーション法において適用する場合には、定期的に糟糠類を汚染土壌に追加しなければならないという問題がある。ここで、このような糟糠類には油分を含むものもあることから、汚染土壌が油分によって汚染されている種類のものである場合には、かかる糟糠類を添加してしまうと汚染土壌中における油分濃度が上昇してしまい、微生物の活性を逆に低下させてしまうという問題もある。
さらに、汚染土壌の温度低下を防止するために糟糠類の混合量を多くしてしまうと汚染土壌の温度が上昇しすぎてしまい、かえって微生物の活性を低下させてしまうという問題もある。
【０００６】
そこで、糟糠類をバイオレメディエーション法に適用することを目的とした汚染土壌の加温方法が開発されている（特許文献５参照）。具体的には糟糠類を含有する発酵助剤を添加するとともに通気量を制御することによって、汚染土壌の温度を１０〜５０℃に保持する汚染土壌の浄化方法が開示されている。
【先行技術文献】
【特許文献】
【０００７】
【特許文献１】特開平１０−２１５７０４号公報
【特許文献２】特開２０００−１８４８２８号公報
【特許文献３】特開２００２−３０５９７３号公報
【特許文献４】特開２００４−２５４５０８号公報
【特許文献５】ＷＯ２００６／０９２９５０号公報
【発明の概要】
【発明が解決しようとする課題】
【０００８】
しかしながら、かかる特許文献５の汚染土壌の浄化方法は、［００３３］や［００３６］に記載されているように、糟糠類による土壌温度の過上昇の防止や汚染土壌の温度の調節を行うための通気量を調整するための制御手段を設けることを特徴とするものである。すなわち、特許文献５の加温方法は、特許文献４に記載した糟糠類を用いる加温方法の長所である特段の設備が不要であるというメリットを潰してしまうものであり、いわば本末転倒なもの（特許文献１〜３に記載の従前の問題点が依然として顕在するもの）となってしまうのである。
【０００９】
また、バイオレメディエーション法においては、改質が終了した際や改質を行っている期間中に気候が変化して温度の保持の必要がなくなった際などには使用している蓄熱材などの添加物を回収しなければならない場合がある。特に、ランドファーミング工法においては、定期的に行う汚染土壌の撹拌を行う必要があることから、蓄熱材など汚染土壌に添加するものについては容易に汚染土壌から回収できるものであることが好ましいのである。
しかしながら、特許文献４および特許文献５の汚染土壌の浄化方法に用いられる発酵助剤はこのような場合に汚染土壌から発酵助剤のみを除去することは困難であるという問題点がある。
【００１０】
本発明は、上記した従来の問題点に鑑みてなされたものであって、蓄熱材料の一部または全部を被覆材で被覆するという特徴を有することによって、冬期や雨天時、または寒冷地においても汚染土壌の温度を保持することができ、さらに汚染土壌の撹拌の際や改質が終了した際などに容易に汚染土壌から除去することができる土壌改質用蓄熱材およびこの土壌改質用蓄熱材を用いた汚染土壌の土壌改質方法の提供を目的とするものである。
【課題を解決するための手段】
【００１１】
上記目的を達成するために、本発明の請求項１に係る土壌改質用蓄熱材は、液状および／または固体状の蓄熱材料の一部または全部を、金属および／またはプラスチックを用いた被覆材で被覆することで、土壌への適用および土壌からの回収が可能な形態に形成したことを特徴とする。
なお、本発明における「適用」の意は、本発明に係る土壌改質用蓄熱材を汚染土壌に埋設または敷設する形態以外に、汚染土壌中に挿入する形態や、汚染土壌と混合する形態等、汚染土壌と本発明に係る土壌改質用蓄熱材とが接触する各種の形態を総称するものである。
【００１２】
本発明の請求項２に係る土壌改質用蓄熱材は、土壌改質用蓄熱材の形状が、カプセル状、シームレスカプセル状、棒状、チューブ状、板状、あるいはこれら形状の組合せであることを特徴とする。
【００１３】
本発明の請求項３に係る土壌改質用蓄熱材は、土壌改質用蓄熱材の形状が、立設した複数の、棒状の土壌改質用蓄熱材および／または板状の土壌改質用蓄熱材の上端部間に、別の、棒状の土壌改質用蓄熱材および／または板状の土壌改質用蓄熱材を連結したものであることを特徴とする。
【００１４】
本発明の請求項４に係る土壌改質用蓄熱材は、土壌改質用蓄熱材にフック部を設けたことを特徴とする。
【００１５】
本発明の請求項５に係る土壌改質用蓄熱材は、土壌改質用蓄熱材が、磁性を有するものであることを特徴とする。
【００１６】
本発明の請求項６に係る汚染土壌の土壌改質方法は、請求項１から５のいずれか一項に記載の土壌改質用蓄熱材を汚染土壌に適用する工程と、定期的に土壌改質用蓄熱材を汚染土壌から回収する工程と、土壌改質用蓄熱材を回収した後の汚染土壌を撹拌する工程と、撹拌後の汚染土壌に土壌改質用蓄熱材を再度適用する工程とを備えることを特徴とする。
【００１７】
本発明の請求項７に係る汚染土壌の土壌改質方法は、さらに、汚染土壌の上部を光透過性シートで覆うこと特徴とする。
【発明の効果】
【００１８】
本発明に係る土壌改質用蓄熱材およびこの土壌改質用蓄熱材を用いた汚染土壌の土壌改質方法によれば、液状や固体状の蓄熱材料の一部または全部を金属やプラスチックを用いた被覆材で被覆した形態とすることによって、雨天時や気温の低下時などにおいても汚染土壌の温度を保持することができ、微生物の活性を維持することができる。
また、定期的に汚染土壌の撹拌を行う際や改質が終了した際などには、汚染土壌から容易に回収することができ、再利用をすることができる。
また、回収した土壌改質用蓄熱材を加温して再び汚染土壌に適用することもできることから、汚染土壌の温度が低下した場合でも容易に汚染土壌の温度調節を行うことができる。
さらに、従来の糟糠類を利用した蓄熱材を用いた場合に起こる糟糠類の追加投入による汚染土壌中の油分濃度の上昇の問題を解決することができ、微生物の活性を維持し、安定した土壌改質を行うことができる。
【００１９】
本発明の請求項２ないし請求項５に係る土壌改質用蓄熱材によれば、土壌改質用蓄熱材を特定の形状としたり、フック部を設けたり、磁性を有する材料で被覆したりすることによって、より汚染土壌からの回収を容易にすることができ、再利用をすることができる。この効果は特に定期的な汚染土壌の撹拌が必要となるランドファーミング工法において顕著なものとなり、より効率的な汚染土壌の温度管理ができることになる。
【００２０】
本発明の請求項７に係る汚染土壌の土壌改質方法によれば、本発明の土壌改質用蓄熱材を汚染土壌に混合または挿入するとともに汚染土壌の上部を光透過性シートで覆うことによって、汚染土壌が雨風に曝されることを防止することができるとともに、太陽光を用いて土壌改質用蓄熱材の蓄熱を行うことができる。
【図面の簡単な説明】
【００２１】
【図１】本発明に係る土壌改質用蓄熱材の実施形態の一例を示す模式図である。
【図２】本発明に係る土壌改質用蓄熱材の実施形態の別の例を示す模式図である。
【図３】本発明に係る土壌改質用蓄熱材の実施形態のさらに別の例を示す模式図である。
【図４】図１の土壌改質用蓄熱材を用いた汚染土壌の土壌改質方法を示す断面模式図である。
【図５】図３または図４の土壌改質用蓄熱材を用いた汚染土壌の土壌改質方法を示す断面模式図である。
【発明を実施するための形態】
【００２２】
本発明の実施形態を図面に基づいて説明する。なお、以下に述べる実施形態は本発明を具体化した一例に過ぎず、本発明の技術的範囲を限定するものでない。
図１は本発明に係る土壌改質用蓄熱材の実施形態の一例を示す模式図であり、図２は本発明に係る土壌改質用蓄熱材の実施形態の別の例を示す模式図であり、図３は本発明に係る土壌改質用蓄熱材の実施形態のさらに別の例を示す模式図である
【００２３】
まず、本発明に係る土壌改質用蓄熱材１は、液状および／または固体状の蓄熱材料２の一部または全部を、金属製および／またはプラスチック製の被覆材３で被覆した構造を基本的な構造としている。従って、このような構造を有しているものであれば、本発明に係る土壌改質用蓄熱材の技術的範囲に属することとなる。そして、このような土壌改質用蓄熱材の例示として、図１〜図３に示すような土壌改質用蓄熱材１ａ〜１ｃが挙げられる。
【００２４】
具体的には、図１に示す土壌改質用蓄熱材１ａは、蓄熱材料２ａ（本実施形態においてはパラフィン系蓄熱材料）を被覆材３ａ（本実施形態においてはフェライト系ステンレス）でカプセル状またはシームレスカプセル状に被覆した構造となっている。
【００２５】
次に、図２に示す土壌改質用蓄熱材１ｂは、図５に示す通り蓄熱材料２ｂ（本実施形態においては塩化カルシウム水和物）を被覆材３ｂ（本実施形態においては黄銅）で棒状に被覆した土壌改質用蓄熱材１ｃを複数本用い、立設した複数の土壌改質用蓄熱材１ｃの上端部間に別の土壌改質用蓄熱材１ｄを連結した構造となっている。また、土壌改質用蓄熱材１ｂは上部にバックホウ等で吊り上げすることができるように上部にフック部４が設けられている構造となっている。
【００２６】
さらに、図３に示す土壌改質用蓄熱材１ｅは、立設した複数の土壌改質用蓄熱材１ｃの上端部間に、図２と同様の蓄熱材料２ｂおよび被覆材３ｂを用いて板状に形成した土壌改質用蓄熱材１ｆを連結した構造となっている。また、本実施形態も土壌改質用蓄熱材１ｂと同様に上部にフック部４が設けられている構造となっている。
【００２７】
なお、図２（図５）および図３に示す土壌改質用蓄熱材１ｂ、１ｅは、棒状の土壌改質用蓄熱材１ｃ、１ｄや板状の土壌改質用蓄熱材１ｆを連結した構造となっているが、これに限定されるものではなく、蓄熱材料２ｂおよび被覆材３ｂを用いて一体成型によって土壌改質用蓄熱材１ｂ、１ｅと同じ外形の土壌改質用蓄熱材とすることもできる。
【００２８】
次に、本発明に係る土壌改質用蓄熱材の各構成要件およびその他本発明に係る汚染土壌の土壌改質方法に使用される構成要件を説明する。
【００２９】
（蓄熱材料）
本発明に用いられる蓄熱材料２は、汚染土壌の温度を一定範囲の温度に保持するための熱源となるものである。ここで、蓄熱材料２は汚染土壌の温度を９〜４０℃に保持することができる材料であれば特に形態を問わず、公知の材料を含めて、液体状、固体状（後記する被覆材によって使用時における支障がないように被覆することができるのであれば気体状）など各種の材料を単独または併用して用いることができる。そして、このような材料の中でも上記の温度域を得やすいことから、塩化カルシウム水和物、硫酸ナトリウム水和物、チオ硫酸ナトリウム水和物、酢酸ナトリウム水和物などの無機水和塩やパラフィンを合成樹脂などに練り込んだパラフィン系蓄熱材料を用いることが好ましい。
【００３０】
（被覆材）
本発明に用いられる被覆材３は、汚染土壌に使用した際の外部要因（風雨や塩害、汚染土壌中の油分、水分、微生物、アルカリ成分、酸性成分など）から蓄熱材料２を保護するためのものである。ここで、被覆材３は蓄熱材料２をこれら外部要因から保護できるものであれば特に材質は問わず、金属やプラスチックなど各種の材料を単独または併用して用いることができる。また、被覆材３は蓄熱材料２が発する熱を効率よく汚染土壌に伝えるものであることが好ましい。そして、このような材料としては、黄銅や白銅などの銅合金が挙げられる。
また、被覆材３に磁性を有する材料を用いれば、汚染土壌からの土壌改質用蓄熱材の回収が容易となることから好適であり、定期的な汚染土壌の撹拌が必要となるランドファーミング工法に使用する場合においては特に好適なものとなる。そしてこのような材料としては、磁性を有しつつ水分による腐食の恐れが低いフェライト系ステンレスやプラスチックに鉄粉を混合した複合材料などが挙げられる。
さらに、被覆の形態についても、上記の外部要因から蓄熱材料２を保護できるものであれば、蓄熱材料２の全部を被覆するのではなく蓄熱材料２の一部のみを被覆するものでもよい。なお、蓄熱材料２自体が上記の外部要因に対する保護性能を有している場合には被覆材３そのものを省略することもできる。
【００３１】
（形状）
本発明に係る土壌改質用蓄熱材の形状としては、汚染土壌の温度を保持することができれば特に限定されるものではなく、適用する汚染土壌の状態に合わせて図１に示すようなカプセル状またはシームレスカプセル状以外に、棒状、チューブ状、板状、あるいはこれら形状の組合せなど、各種の形状を選択することができる。
また、図２や図３に示すように、棒状や板状の土壌改質用蓄熱材１ｃ、１ｆを組み合わせることによって、いわゆる机状に形成した形状とすることもでき、さらに上部にフック部４を設けることで、後記するように汚染土壌からの土壌改質用蓄熱材の回収を容易なものとすることができる。
【００３２】
（光透過性シート）
本発明に係る汚染土壌の土壌改質方法に使用する光透過性シートは、上記した土壌改質用蓄熱材を汚染土壌に適用した後に、汚染土壌を風雨から保護することによって微生物の活性を維持しつつ、透過した太陽光を汚染土壌に当てることによって汚染土壌の温度低下を防止し、さらに透過した太陽光で土壌改質用蓄熱材の蓄熱を行うために用いられるものである。なお、光透過性シートは、光を透過することができるものであれば材質は特に限定されず、ポリ塩化ビニルやポリエチレンなど各種の材料を用いることができる。また、光透過性シートの厚みも使用時に破損しない程度（０．０４ｍｍ以上）であれば特に限定されないが、耐久性や保湿性などの点から０．２５ｍｍ以上であることが好ましい。
【００３３】
次に、上記のように構成された土壌改質用蓄熱材の使用方法（汚染土壌の改質方法）および作用を説明する。なお、以下の使用方法はいずれもランドファーミング工法における使用方法であるが、これに限定されるものではなく各種のバイオレメディエーション法に使用することができる。
図４は図１の土壌改質用蓄熱材を用いた汚染土壌の土壌改質方法を示す断面模式図であり、図５は図３または図４の土壌改質用蓄熱材を用いた汚染土壌の土壌改質方法を示す断面模式図である。
【００３４】
まず、図１に示すカプセル状またはシームレスカプセル状の土壌改質用蓄熱材１ａを用いた汚染土壌の土壌改質方法について説明する。
【００３５】
まず、図４に示すように、栄養塩や水分（場合によっては微生物も、なお栄養塩、水分、微生物については図示せず）と土壌改質用蓄熱材１ａを混合した汚染土壌５を高さ１ｍ程度の畝に盛り上げ、その上を光透過性シート６で覆う。
【００３６】
次に、一定の期間後に、光透過性シート６を外して汚染土壌５中の汚染物質の量の分析を行い、目標値に達していない場合には必要に応じて栄養塩や水分（場合によっては微生物）を供給するとともに、バックホウなどを用いて汚染土壌５を撹拌し、汚染土壌５に新鮮な空気などを供給した後、再び光透過性シート６で覆って改質を継続する。
なおこの際、土壌改質用蓄熱材１ａからの放熱量が低下している場合には、汚染土壌から大型磁石を用いて土壌改質用蓄熱材１ａを回収し、太陽光等に曝すことによって蓄熱を行い、再度汚染土壌に適用することもできる。
【００３７】
そして、かかる分析および汚染土壌５の撹拌を一定の期間ごとに行い、汚染物質の量が目標値に達したことが確認できた場合には改質が終った土壌から大型磁石を用いて土壌改質用蓄熱材１ａを回収し、その後、かかる土壌を所定の場所に戻すことによって土壌改質を終了する。
【００３８】
次に、図３または図４に示すいわゆる机状の土壌改質用蓄熱材１ｂ、１ｆを用いた汚染土壌の土壌改質方法について説明する。
【００３９】
まず、図５に示すように、栄養塩や水分（場合によっては微生物も、なお栄養塩、水分、微生物については図示せず）を混合した汚染土壌５を高さ１ｍ程度の畝に盛り上げた後、その上から土壌改質用蓄熱材１ｂ、１ｆを挿し込み、さらにその上を光透過性シート６で覆う。
【００４０】
次に、一定の期間後に、光透過性シート６を外し、さらに土壌改質用蓄熱材１ｂ、１ｆの上部に設けたフック部４にバックホウの爪などを引っ掛けることによって土壌改質用蓄熱材１ｂ、１ｆを汚染土壌５から抜き取る。その後、汚染土壌５中の汚染物質の量の分析を行い、目標値に達していない場合には必要に応じて栄養塩や水分（場合によっては微生物）を供給するとともに、バックホウなどを用いて汚染土壌５を撹拌し、汚染土壌５に新鮮な空気などを供給した後、再び土壌改質用蓄熱材１ｂ、１ｆを挿し込み、光透過性シート６で覆って改質を継続する。
なお、土壌改質用蓄熱材１ｂ、１ｆにおいても、［００３６］の記載と同様に土壌改質用蓄熱材１ｂ、１ｆからの放熱量が低下している場合には、汚染土壌から土壌改質用蓄熱材１ｂ、１ｆを抜き取り、太陽光等に曝すことによって蓄熱を行い、再度汚染土壌に適用することもできる。
さらに、図３または図４に示すいわゆる机状の土壌改質用蓄熱材１ｂ、１ｆについては、図５に示すように汚染土壌中に挿入されずに汚染土壌の外部に出ている部分があり、かかる部分は太陽光の照射を受けることになる。従って、いわゆる机状の土壌改質用蓄熱材１ｂ、１ｆを用いた場合には、汚染土壌に適用した状態で蓄熱も行うことができることになり、上記した太陽光等に曝すことによる蓄熱作業を省くこともできる。特にこの効果は［００２７］に記載したような、一体成型によって作製した机状の土壌改質用蓄熱材において顕著なものとなる。
【００４１】
そして、かかる分析および汚染土壌５の撹拌を一定の期間ごとに行い、汚染物質の量が目標値に達したことが確認できた場合には、改質が終った土壌から土壌改質用蓄熱材１ｂ、１ｆを抜き取り、その後、かかる土壌を所定の場所に戻すことによって土壌改質を終了する。
【００４２】
以上の通り、本発明にかかる土壌改質用蓄熱材を用いた汚染土壌の土壌改質方法は、蓄熱材料の一部または全部を被覆材で被覆するという特徴を有していることから、冬期や雨天時、または寒冷地においても汚染土壌の温度を保持することができ、汚染土壌の撹拌の際や改質が終了した際などに容易に汚染土壌から除去することができるという技術的効果を発現することができる。
【産業上の利用可能性】
【００４３】
本発明の土壌改質用蓄熱材は、汚染土壌や汚染地下水の改質に用いることができる。
【符号の説明】
【００４４】
１    土壌改質用蓄熱材
１ａ    土壌改質用蓄熱材
１ｂ    土壌改質用蓄熱材
１ｃ    土壌改質用蓄熱材
１ｄ    土壌改質用蓄熱材
１ｅ    土壌改質用蓄熱材
１ｆ    土壌改質用蓄熱材
２    蓄熱材料
２ａ    蓄熱材料
２ｂ    蓄熱材料
３    被覆材
３ａ    被覆材
３ｂ    被覆材
４    フック部
５    汚染土壌
６    光透過性シート
【図１】
2014185242.tif 000003
【図２】
2014185242.tif 000004
【図３】
2014185242.tif 000005
【図４】
2014185242.tif 000006
【図５】
2014185242.tif 000007